(57)【要約】      （修正有）【課題】型枠材用、面木、目地棒、アンコ材はコンクリート構造物の形成後、廃材として廃棄しないで再生できる様にした型枠材を提供する。【解決手段】コンクリート構造物Ｄの面取り、目地穴、アンコ材溝穴を構築する際コンクリート型枠４の内側に装着される面木１、目地棒２、アンコ材３は、再生可能樹脂油ピールシールにて形成することを特徴とする。【選択図】図３
0003199970.tif 000002
【実用新案登録請求の範囲】
【請求項１】
コンクリート構造物Ｄの面取りＤ１目地穴Ｄ２アンコ材（溝穴）Ｄ３に装置される型枠材、面木１目地棒２アンコ材３の再生を行う事を特徴とする型枠材、面木１目地棒２アンコ材３
【請求項２】
前記、面木１目地棒２アンコ材３は再生可能樹脂油ピールシールＡ３にて形成された、請求項１記載の再生可能型枠材、面木１目地棒２アンコ材３
【請求項３】
前記、面木１目地棒２アンコ材３は継続的に再生できて提供、使用、回収、再生という工程で実行される、請求項１請求項２の型枠材
【考案の詳細な説明】
【技術分野】
【０００１】  本考案はコンクリート構造物を製造する際に使用される名称、面木、目地棒、アンコ材に係り、再生可能にした面木、目地棒、アンコ材に関する。
【背景技術】
【０００２】  コンクリート構造物は所定形状に組み合わせたコンクリート型枠の内側に面木、目地棒、アンコ材を装置し固定してコンクリートを打設して、コンクリート構造物に面取り、目地穴、アンコ材（溝穴）を形成する工法が行われている。【０００３】  更にコンクリート打設後コンクリート構造物が固まるとコンクリート型枠と一緒に面木、目地棒、アンコ材を取り外す型枠解体を行う。その解体時に面木、目地棒、アンコ材にコンクリートが付着したり乾燥して曲がったり折れたりして廃材となっている。
【考案の概要】
【考案が解決しようとする課題】
【０００４】  ところが従来工法は木材を加工して面木、目地棒、アンコ材を作成しており、他に発泡（プラスチック）製などが有り、いずれもコンクリート構造物の形成後は廃材として処理され運搬費、人件費、廃棄費などの諸経費を掛けて捨てられている。【０００５】  そこで本考案は上述の課題を解決すべく案出されたもので、継続的に再生可能にした面木、目地棒、アンコ材の提供を目的とする。
【課題を解決するための手段】
【０００６】  上述の目的を達成すべく第１の手段は樹脂油でできている斜視図１ピールシールＡを使用する。ピールシールＡは常温では硬く１ｋｇ位の固形で販売されている。ピールシールＡは加熱器Ｂで１８０°位の温度に加熱されると溶解し、液状Ａ１になり金属でできた工具、刃物ＣをピールシールＡ１に浸すことで刃物Ｃに硬い被膜Ａ２の層をつくり、防錆（サビ防止）や刃物Ｃの保護などに使用されている刃物Ｃの被膜Ａ２を外して、再度加熱器Ｂで加熱して液状Ａ１に戻したり常温で硬くしたり繰り返し使用できて再生可能である。【０００７】  第２の手段として、型枠材として使われる事のなかったピールシールＡは常温では硬く従来使われている木材と変わらない強度を持っている。そのピールシールＡの量や加熱器Ｂの巾×厚み×長さなどを変えて、斜視図２ピールシールＡを加熱器Ｂで加熱し液状ピールシールＡ１にして、面木、目地棒、アンコ材を作成できる巾×厚み×長さにして常温で固めてピールシールＡ３を形成して面木１目地棒２アンコ材を作成できる様にしたことにある。【０００８】  第３の手段として斜視図３コンクリート構造物Ｄを製造するコンクリート型枠４の内側に、面木１目地棒２アンコ材３を装置し固定して、コンクリート打設を行なって、コンクリート構造物Ｄに斜視図４面取りＤ１目地穴Ｄ２アンコ材（溝穴）Ｄ３の形成後、コンクリート型枠４と一緒に外され廃材となった面木１目地棒２アンコ材３の回収を行い回収後、斜視図５面木１目地棒２アンコ材を加熱器Ｂで加熱して液状ピールシールＡ１にして再度ピールシールＡ３を形成して継続的に使用できる様にしたものである。【０００９】  樹脂油でできているピールシールＡ３を形成して作成した面木１目地棒２アンコ材３をコンクリート構造物Ｄに使った事により剥離性に優れコンクリートが付着しなくなり、斜視図４面取りＤ１目地穴Ｄ２アンコ材（溝穴）Ｄ３の仕上がりも綺麗で型枠解体にも利便性がある。【００１０】  ピールシールＡ３で面木１目地棒２アンコ材３を作成した事により廃棄費用などの諸経費が掛からなくなり、面木１目地棒２アンコ材３の提供、使用、回収、再生という工程で継続的に使用できる様にしたことにより安価な提供が可能になる。
【図面の簡単な説明】
【００１１】
【図１】本考案の他の実施例を示す斜視図である。
【図２】本考案の工法を示す斜視図である。
【図３】本考案の一実施例を示す斜視図である。
【図４】コンクリート構造物の面と溝穴を示す斜視図である。
【図５】本考案の再生工法を示す斜視図である。
【考案を実施するための形態】
【００１２】  本考案によるとコンクリート型枠材用面木１目地棒２アンコ材３の継続的再生に成功した。
【００１３】  以下本考案の実施例を説明する。本考案はコンクリート構造物Ｄを構築する際に従来通りの工法で斜視図３コンクリート型枠４の内側に装置された面木１目地棒２アンコ材３を使用してコンクリート打設後に斜視図４コンクリート構造物Ｄに面取りＤ１目地穴Ｄ２アンコ材（溝穴）３を形成する。
【００１４】  本考案の基本構成は型枠材としてピールシールＡ３を形成して作成した面木１目地棒２アンコ材３を使用してコンクリート構造物Ｄを形成後、コンクリート型枠４と一緒に外され廃材となった斜視図５面木１目地棒２アンコ材３を回収、再生、提供、使用と継続的に再生できる様にしたものである。
【産業上の利用可能性】
【００１５】  本考案の再生可能型枠材面木１目地棒２アンコ材３は図示例に限定されるものでなく再生できる樹脂油の材質は本考案の要旨を変更しない範囲で任意に変更する事ができる。
【符号の説明】
【００１６】    Ａ    ピールシール
Ａ１  液状ピールシール
Ａ２  保護被膜ピールシール
Ｃ    刃物
Ａ３  面木１目地棒２アンコ材３作成用ピールシール
１    面木
２    目地棒
３    アンコ材
４    コンクリート型枠
Ｄ    コンクリート構造物
Ｄ１  コンクリート面取り
Ｄ２  コンクリート目地穴
Ｄ３  コンクリートアンコ材（溝穴）
Ｂ    ピールシール加熱器
【図１】
0003199970.tif 000003
【図２】
0003199970.tif 000004
【図３】
0003199970.tif 000005
【図４】
0003199970.tif 000006
【図５】
0003199970.tif 000007
【手続補正書】
【提出日】平成27年7月9日(2015.7.9)
【手続補正１】
【補正対象書類名】実用新案登録請求の範囲
【補正対象項目名】全文
【補正方法】変更
【補正の内容】
【実用新案登録請求の範囲】
【請求項１】
コンクリート構造物Ｄの面取りＤ１、目地穴Ｄ２、アンコ材溝穴Ｄ３を構築する際コンクリート型枠４の内側に装着される面木１、目地棒２、アンコ材３は、再生可能樹脂油ピールシールにて形成することを特徴とする型枠材。
【請求項２】
前記面木１、目地棒２、アンコ材３は再生可能樹脂ピールシールＡ３にて形成された請求項１に記載の型枠材。
【請求項３】
前記面木１、目地棒２、アンコ材３は継続的に再生できて提供、使用、回収、再生、という工程で実行される請求項１または請求項２記載の型枠材。